(57)【要約】【課題】自身の身体データとの関係で改善の可能性が高い運動プログラムの情報を対象者に提供できるようにする。【解決手段】情報提供方法に、対象者の身体データを受け付ける処理と、運動プログラムの実施の前後に測定された各実施者の身体データに関する実績データに基づいて、運動プログラムの実施前の身体データが対象者と類似していた実施者について改善が認められた運動プログラムの実施を促す配布物又は配布データを、対象者毎に出力する処理とを含める。【選択図】図６
2020091721.tif 000002
【特許請求の範囲】
【請求項１】
対象者の身体データを受け付ける処理と、
運動プログラムの実施の前後に測定された各実施者の身体データに関する実績データに基づいて、運動プログラムの実施前の身体データが対象者と類似していた実施者について改善が認められた運動プログラムの実施を促す配布物又は配布データを、対象者毎に出力する処理と
を有する情報提供方法。
【請求項２】
前記配布物又は前記配布データには、対応する運動プログラムを実施する場合に期待される改善の実績例が含まれる、請求項１に記載の情報提供方法。
【請求項３】
対象者が指定した目的を実現する効果が高い運動プログラムを優先する、請求項１に記載の情報提供方法。
【請求項４】
前記目的は、予め用意された複数の選択肢の中から指定される、請求項３に記載の情報提供方法。
【請求項５】
前記目的を複数指定する場合、優先順位の指定が可能である、請求項３に記載の情報提供方法。
【請求項６】
前記配布物又は前記配布データにより実施が促される運動プログラムは、健康の改善を優先して決定される、請求項１に記載の情報提供方法。
【請求項７】
運動プログラムは、事業者により運動サービスの一部として提供される、請求項１に記載の情報提供方法。
【請求項８】
前記配布物又は前記配布データは、案内状、クーポン券、お試し券、割引券、又は、それらの電子データを含む、請求項１に記載の情報提供方法。
【請求項９】
運動プログラムの実施の前後に測定された各実施者の身体データに関する実績データを記憶するデータベースと、
対象者の身体データを受け付ける受付手段と、
運動プログラムの実施前の身体データが対象者と類似していた実施者について改善が認められた運動プログラムを検出する検出手段と、
検出された運動プログラムの実施を促す配布物又は配布データを、対象者毎に出力させる出力制御手段と
を有する情報提供システム。
【請求項１０】
コンピュータに、
対象者の身体データを受け付ける機能と、
運動プログラムの実施の前後に測定された各実施者の身体データに関する実績データに基づいて、運動プログラムの実施前の身体データが対象者と類似していた実施者について改善が認められた運動プログラムの実施を促す配布物又は配布データを、対象者毎に出力させる機能と
を実行させるプログラム。
【発明の詳細な説明】
【技術分野】
【０００１】
本発明は、情報提供方法、情報提供システム及びプログラムに関する。
【背景技術】
【０００２】
特許文献１には、要管理者に定着し易い改善目標を提示することが可能な生活習慣改善支援装置として、要管理者の健康情報と類似の症例の中から生体情報の推移が最も好ましい方向に向かっている症例を抽出し、当該症例に対応する生活習慣情報を改善項目として出力する技術が記載されている。
特許文献２には、運動の開始時と終了時に身体情報を情報サービス会社に送信し、運動が激しすぎるか軽すぎるかのアドバイスを受けられるようにする技術が記載されている。
【先行技術文献】
【特許文献】
【０００３】
【特許文献１】特開２００７−１５６５２９号公報
【特許文献２】特開２００６−７２８６５号公報
【発明の概要】
【発明が解決しようとする課題】
【０００４】
フィットネスクラブやスイミングスクール等では、様々な運動サービスを利用することができる。一方で、同じ運動プログラムを実施した実施者間でも、改善の効果は様々である。その一因として、各自の体質や身体の状態の違いが考えられる。
【０００５】
本発明は、自身の身体データとの関係で改善の可能性が高い運動プログラムの情報を対象者に提供できるようにすることを目的とする。
【課題を解決するための手段】
【０００６】
請求項１に記載の発明は、対象者の身体データを受け付ける処理と、運動プログラムの実施の前後に測定された各実施者の身体データに関する実績データに基づいて、運動プログラムの実施前の身体データが対象者と類似していた実施者について改善が認められた運動プログラムの実施を促す配布物又は配布データを、対象者毎に出力する処理とを有する情報提供方法である。
請求項２に記載の発明は、前記配布物又は前記配布データには、対応する運動プログラムを実施する場合に期待される改善の実績例が含まれる、請求項１に記載の情報提供方法である。
請求項３に記載の発明は、対象者が指定した目的を実現する効果が高い運動プログラムを優先する、請求項１に記載の情報提供方法である。
請求項４に記載の発明は、前記目的は、予め用意された複数の選択肢の中から指定される、請求項３に記載の情報提供方法である。
請求項５に記載の発明は、前記目的を複数指定する場合、優先順位の指定が可能である、請求項３に記載の情報提供方法である。
請求項６に記載の発明は、前記配布物又は前記配布データにより実施が促される運動プログラムは、健康の改善を優先して決定される、請求項１に記載の情報提供方法である。
請求項７に記載の発明は、運動プログラムは、事業者により運動サービスの一部として提供される、請求項１に記載の情報提供方法である。
請求項８に記載の発明は、前記配布物又は前記配布データは、案内状、クーポン券、お試し券、割引券、又は、それらの電子データを含む、請求項１に記載の情報提供方法である。
請求項９に記載の発明は、運動プログラムの実施の前後に測定された各実施者の身体データに関する実績データを記憶するデータベースと、対象者の身体データを受け付ける受付手段と、運動プログラムの実施前の身体データが対象者と類似していた実施者について改善が認められた運動プログラムを検出する検出手段と、検出された運動プログラムの実施を促す配布物又は配布データを、対象者毎に出力させる出力制御手段とを有する情報提供システムである。
請求項１０に記載の発明は、コンピュータに、対象者の身体データを受け付ける機能と、運動プログラムの実施の前後に測定された各実施者の身体データに関する実績データに基づいて、運動プログラムの実施前の身体データが対象者と類似していた実施者について改善が認められた運動プログラムの実施を促す配布物又は配布データを、対象者毎に出力させる機能とを実行させるプログラムである。
【発明の効果】
【０００７】
請求項１記載の発明によれば、自身の身体データとの関係で改善の可能性が高い運動プログラムの情報を対象者に提供することができる。
請求項２記載の発明によれば、運動プログラムの実施を促す効果を高めることができる。
請求項３記載の発明によれば、運動プログラムの実施を促す効果を高めることができる。
請求項４記載の発明によれば、任意の目的の入力が可能な場合に比して提供される情報の精度を高めることができる。
請求項５記載の発明によれば、優先順位を指定できない場合に比して対象者の希望に近い運動プログラムの情報を提供できる。
請求項６記載の発明によれば、健康との両立が可能な運動プログラムの情報を提供できる。
請求項７記載の発明によれば、事業者が提供する運動サービスの利用を促進できる。
請求項８記載の発明によれば、事業者が提供する運動サービスの利用を促進できる。
請求項９記載の発明によれば、自身の身体データとの関係で改善の可能性が高い運動プログラムの情報を対象者に提供することができる。
請求項１０記載の発明によれば、自身の身体データとの関係で改善の可能性が高い運動プログラムの情報を対象者に提供することができる。
【図面の簡単な説明】
【０００８】
【図１】実施の形態１で想定するネットワークシステムの概要を説明する図である。
【図２】実績データの一例を示す図である。
【図３】実施の形態１における情報提供サーバの機能構成の一例を説明する図である。
【図４】目的の受付に用いられる受付画面の一例を示す図である。
【図５】目的の受付に用いられる他の受付画面の一例を示す図である。
【図６】情報処理システムの処理動作の一例を説明するフローチャートである。
【図７】配布物の一例を示す図である。
【図８】配布物の他の例を示す図である。
【発明を実施するための形態】
【０００９】
以下、図面を参照して、本発明の実施の形態を説明する。
【００１０】
＜実施の形態１＞
＜ネットワークシステムの説明＞
図１は、実施の形態１で想定するネットワークシステム１の概要を説明する図である。
図１に示すネットワークシステム１は、運動サービスを提供する事業者等が管理する情報提供システム１０と、運動サービスを利用する新規会員、加入見込者等の個人（以下「新規会員２０」という）が携帯する携帯端末３０と、通信網としてのインターネット４０とで構成されている。
言うまでもなく、新規会員２０は複数名でよい。ここでの新規会員２０は対象者の一例である。
【００１１】
本実施の形態の場合、情報提供システム１０は、フィットネスクラブ、スイミングクラブその他の施設（以下「フィットネスクラブ等」という）内に設けられている。
もっとも、情報提供システム１０が構築される場所は、運動サービスが提供される施設内に限らない。例えば情報提供システム１０はクラウドサーバとして提供されてもよい。
また、ネットワークシステム１の管理者も、フィットネスクラブ等の事業者に限られず、フィットネスクラブ等の事業者との間に業務上の関係を有する関係者でもよい。例えば新規会員２０の勧誘を請け負う事業者でもよい。
なお、フィットネスクラブ等の事業者は、民間の事業者に限らず、公共の事業者でもよい。以下では、運動サービスを提供する事業者及び関係者等を含めてサービス事業者ともいう。
【００１２】
図１では、新規会員２０が携帯する携帯端末３０を情報提供システム１０に対する入力装置として用いているが、情報提供システム１０を構成する不図示の入力装置やインターネット４０に接続される不図示の入力装置を用いてもよい。
図１では、携帯端末３０を用いて新規会員２０が自身の身体データＤ１を入力すると、新規会員２０の身体データＤ１と類似する身体データを有していた既存会員について改善効果が確認された運動プログラムの実施を促す案内状、クーポン券、お試し券、割引券その他の配布物５０が新規会員２０に配布される。
【００１３】
図１では、配布物５０と同内容の配布データＤ２が情報提供システム１０から携帯端末３０に送信される場合も表している。配布データＤ２は電子データの一例である。
配布データＤ２は、例えばメールやメッセージである。なお、配布データＤ２には、配布物５０に相当する内容が本文として記述されていてもよいし、配布物５０に相当する内容を携帯端末３０に表示させるためのリンク情報が記述されていてもよい。
【００１４】
図１の場合、情報提供システム１０は、新規会員２０毎に改善効果が得られる可能性が高い運動プログラムを推奨プログラムとして提供する情報提供サーバ１１と、既存会員の登録情報を記録する会員データベース（会員ＤＢ）１２と、運動プログラムの実施の前後に測定された測定値と実施された運動プログラムの内容を実績データとして記録する実績データベース（実績ＤＢ）１３と、症例とその改善に寄与する運動プログラムとの関係データを記憶する症例別データベース（症例別ＤＢ）１４と、配布物５０の印刷に使用される印刷装置１５と、を有している。
ここでの既存会員とは、フィットネスクラブ等で運動サービスを利用する個人であり、運動プログラムの実施者の一例である。
【００１５】
本実施の形態の場合、会員データベース１２の会員データ、実績データベース１３の実績データ、症例別データベース１４の関係データは、いずれも不図示の情報端末によって管理されている。
図１では、会員データベース１２、実績データベース１３、症例別データベース１４がローカルエリアネットワーク（ＬＡＮ：Local Area Network）を通じて情報提供サーバ１１に直接接続されているが、インターネット４０を通じて情報提供サーバ１１に接続されていてもよい。
【００１６】
本実施の形態における会員データベース１２は、例えば会員番号、会員の氏名、性別、年齢、住所、連絡先、入会日等を会員データとして記憶する。
また、本実施の形態における実績データベース１３は、例えば会員番号、利用日時、実施した運動プログラムの内容、運動時間、運動の前後に測定された測定値を実績データとして記憶する。
図２は、実績データの一例を示す図である。図２に示す実績データは、利用日時１２１、会員番号１２２、実施した運動プログラムの内容１２３、運動時間１２４、運動前の測定値１２５、運動後の測定値１２６を含んでいる。
図２の場合、測定項目は、身長、体重、血圧、血糖値、筋肉量、体脂肪率である。因みに、血糖値は、例えばＭＨＣ（Metabolic Heat Confirmation）方式と呼ばれる測定方式を用いれば、採血なしに測定することができる。また、筋肉量や体脂肪率は、インピーダンス法と呼ばれる手法での測定が可能である。
【００１７】
図１の説明に戻る。
本実施の形態における症例別データベース１４には、症例とその改善に寄与する運動プログラムの関係データが記憶されている。例えば高血糖値の改善に寄与する運動プログラムとしては、有酸素運動と筋力トレーニング（筋トレ）が記憶されている。
なお、症例の改善に寄与する運動プログラムは１つでもよいし、３つ以上でもよい。また、本例では、有酸素運動のように具体的な運動の内容を対応付けていないが、具体的な運動の内容が症例に対応付けられていてもよい。
【００１８】
情報提供サーバ１１は、インターネット４０との通信機能を有するコンピュータである。すなわち、情報提供サーバ１１は、プログラム（基本ソフトウェアを含む）の実行を通じて装置全体を制御するＣＰＵ（Central Processing Unit）と、ＢＩＯＳ（Basic Input Output System）等を記憶するＲＯＭ（Read Only Memory）と、プログラムの実行領域として使用されるＲＡＭ（Random Access Memory）と、不揮発性の記憶装置等を有している。不揮発性の記憶装置には、例えば半導体メモリ、ハードディスク装置を使用する。
なお、後述する機能構成を実現するアプリケーションプログラムは、不揮発性の記憶装置等に記憶されている。
【００１９】
図３は、実施の形態１における情報提供サーバ１１の機能構成の一例を説明する図である。
図３に示す情報提供サーバ１１は、新規会員２０（図１参照）の身体データの入力を受け付ける身体データ受付部１１１と、新規会員２０が希望する目的の入力を受け付ける目的受付部１１２と、新規会員２０に対して推奨される運動プログラムを決定する推奨プログラム決定部１１３と、検出された推奨プログラムの新規会員２０への出力を制御する出力制御部１１４と、を有している。これらの機能は、ＣＰＵによるプログラムの実行を通じて実現される。
【００２０】
身体データ受付部１１１は、例えば新規会員２０が携帯端末３０を操作して入力した身体データＤ１の受付処理を実行する。ここでの身体データ受付部１１１は、受付手段の一例である。
本実施の形態の場合、身体データＤ１の内容は、実績データベース１３に記憶されている測定値の項目と同じである。一般には、入力された身体データＤ１の内容が測定値の項目との重複が高いほど、推奨プログラムの検出精度を高めることが可能である。もっとも、実際のサービスでは、新規会員２０が入力する身体データＤ１の内容と測定値の項目とが常に一致するとは限らない。
本実施の形態の場合、入力装置として携帯端末３０を使用しているので、身体データＤ１の入力者として新規会員２０を想定しているが、運動サービスが提供される施設などに設置された入力装置が用いられる場合には、サービス事業者側のスタッフでもよい。
【００２１】
目的受付部１１２は、新規会員２０が運動サービスを利用する場合に期待する効果（以下では「目的」という）の受付処理を実行する。
図４は、目的の受付に用いられる受付画面３００の一例を示す図である。
図４に示す受付画面３００の場合、１段目には、新規会員２０の名前を含むタイトル３０１が配置され、２段目には、新規会員２０に求める作業と作業を求める理由を説明する文３０２が配置されている。
【００２２】
図４の場合、新規会員２０に入力を求める目的の候補は予め選択肢として用意されている。選択肢として用意することで、任意の言葉や文の入力を認める場合に比して、新規会員２０の身体情報に適合した運動プログラムの決定までの処理負担が軽減される。ここでの身体情報とは、性別、年齢、身長、体重、血圧等の身体の状態を特定する情報である。なお、これらの情報は一例である。
【００２３】
本実施の形態では、目的を選択肢によって入力しているが、任意の言葉や文による目的の入力を排除する意図ではない。例えば任意の言葉や文による目的の入力を許容する場合には、言葉や文の意味を人工知能等によって解釈する機能部を追加すればよい。
図４では、選択肢として、健康維持３０３、ダイエット３０４、お腹痩せ３０５、太もも痩せ３０６、筋力アップ３０７を例示している。また、図４では、チェック欄のマークの有無により、ダイエット３０４が選択された状態を表している。
【００２４】
図４では、目的が１つだけ選択された場合を例示しているが、複数の目的の選択を認めてもよい。
図５は、目的の受付に用いられる他の受付画面３１０の一例を示す図である。図５には、図４との対応部分に対応する符号を付して示している。
図５の場合、新規会員２０は、ダイエット３０４と太もも痩せ３０６の２つを選択している。２つ以上の目的が選択された場合でも、新規会員２０と類似の身体情報を有する既存会員の実績データについて、選択された２つ以上の目的が同時に達成された運動プログラムを決定できる可能性もあるが、必ずしも決定できるとは限らない。
【００２５】
このため、図５に示す受付画面３１０では、選択された２つの目的に対して優先順位３０８の入力を可能としている。因みに、図５の例では、ダイエット３０４に対応する優先順位欄３１８に「１位」が入力され、太もも痩せ３０６に対応する優先順位欄３２８に「２位」が入力されている。図５の例では、プルダウンメニュー内から順位を指定する入力方式を用いているが、他の入力方式を用いることも可能である。例えば目的を選択する場合と同様に、順位毎に選択用のチェック欄が設けられていてもよい。
【００２６】
図３の説明に戻る。
本実施の形態における推奨プログラム決定部１１３は、身体データ受付部１１１を通じて受け付けた身体データＤ１と目的受付部１１２を通じて受け付けた目的の両方を使用して、新規会員２０に対して推奨される運動プログラムを決定する処理を実行する。ここでの推奨プログラム決定部１１３は、検出手段の一例である。
本実施の形態では、運動の目的の情報も使用するが、基本的には、新規会員２０と類似する身体データＤ１を有していた既存会員の実績データを抽出し、抽出された実績データの分析を通じて改善効果が高い運動プログラムを決定する。前述の目的は、改善効果が高い運動プログラムのうち新規会員２０の希望に近い運動プログラムの決定に使用される。
【００２７】
例えば推奨プログラム決定部１１３は、新規会員２０の身体データＤ１が与えられると、身体データＤ１と類似度の高い身体情報を有していた既存会員を実績データベース１３から検出し、検出された既存会員が実施した運動プログラムの内容と測定項目毎の測定値の変化との間の関連性を推定する。例えばスイミングと体重の減少効果との関連性の有無、スイミングと血糖値の減少効果との関連性の有無等が推定される。
これらの推定は、身体情報が新規会員２０と類似する既存会員の集合を対象として実行される。集合を構成する要素の数が多いほど、推定される関連性の確度が高くなる。
【００２８】
なお、これらの推定や推奨する運動プログラムの決定には、人工知能を用いてもよい。例えば身体データＤ１と改善効果が認められる運動プログラムとの対応関係を機械学習したモデルに新規会員２０の身体データＤ１を与え、改善効果が認められる１つ又は複数の運動プログラムを出力してもよい。なお、機械学習では、事前に教師データを与える手法を用いてもよいが、強化学習のように教師データを用いない学習を採用してもよい。
【００２９】
この後、推奨プログラム決定部１１３は、予め定めた規則に基づいて、新規会員２０が実施した場合に改善効果が得られる可能性が高い運動プログラムを推奨プログラムに決定する。予め定めた規則には、例えば改善された項目の数が多い運動プログラムを優先、目的に対応する測定項目の改善効果が高い運動プログラムを優先等がある。
一方で、改善効果が大きい運動プログラムを常に優先すると、新規会員２０の健康を結果的に損なう可能性もある。過度な運動は、かえって健康に悪いのと同じである。
そこで、本実施の形態における推奨プログラム決定部１１３には、症例別データベース１４を参照し、健康への悪影響の可能性がある運動プログラムが推奨プログラムとして決定されないように確認する機能が設けられている。例えば新規会員２０の血糖値が高い場合には、血糖値を下げる効果も認められる運動プログラムであるか否かが、症例別データベース１４を用いて確認される。
【００３０】
出力制御部１１４は、決定された推奨プログラムの実施を促す配布物５０（図１参照）や配布データＤ２の出力を制御する。
例えば配布物５０を印刷する場合、出力制御部１１４は、印刷装置１５（図１参照）に配布用の印刷データを出力する。
例えば配布データＤ２を送信する場合、出力制御部１１４は、携帯端末３０を宛先とするメールやメッセージを出力する。
ここでの出力制御部１１４は、出力制御手段の一例である。
【００３１】
＜情報提供システム１０の処理動作＞
図６は、情報提供システム１０の処理動作の一例を説明するフローチャートである。なお、図中の記号Ｓはステップを表している。図６に示す処理動作は、情報提供方法の一例である。
図６に示す処理動作は、情報提供システム１０が新規会員２０の身体データＤ１を受け付けることで開始される（ステップ１）。
身体データＤ１を受け付けた情報提供システム１０は、新規会員２０と類似の身体データＤ１を有していた既存会員を検出する（ステップ２）。
【００３２】
次に、情報提供システム１０は、検出された既存会員の実績データに基づいて改善効果が認められた運動プログラムを検出する（ステップ３）。検出された運動プログラムは、新規会員２０と身体データが類似する既存会員について改善効果が確認されている。
図６の場合、新規会員２０について改善効果が期待される運動プログラムが検出された時点で、新規会員２０が運動サービスに期待する目的を受け付ける（ステップ４）。なお、目的の受付は、ステップ１に示す身体データＤ１の受付と一緒でもよい。
次に、情報提供システム１０は、受け付けた目的が複数か否かを判定する（ステップ５）。
ステップ５で肯定結果が得られた場合、情報提供システム１０は、優先順位を受け付ける（ステップ６）。一方、ステップ５で否定結果が得られた場合、情報提供システム１０は、ステップ６をスキップする。
【００３３】
次に、情報提供システム１０は、優先順位を考慮しつつ、改善効果が高い運動プログラムを推奨プログラムに決定する（ステップ７）。本実施の形態の場合、推奨プログラムは１つであるが、複数であってもよい。
なお、ステップ４で受け付けた目的が１つの場合、受け付けた目的を優先順位の１位として扱う。
推奨プログラムの決定後、情報提供システム１０は、健康への悪影響がないか否かを判定する（ステップ８）。
ステップ８で否定結果が得られた場合、情報提供システム１０は、ステップ７に戻り、改善効果が高い別の運動プログラムを新たな推奨プログラムに決定する。
ステップ８で肯定結果が得られると、情報提供システム１０は、配布物５０等の出力処理を実行する（ステップ９）。具体的には、配布データＤ２の出力処理も実行される。なお、配布物５０と配布データＤ２の出力はいずれか一方だけでもよいし、両方同時でもよい。
【００３４】
図７は、配布物５０の一例を示す図である。
図７に示す配布物５０は、クーポンの例である。
図７に示す配布物５０の場合、１段目には、配布物の種別を表すタイトル５０１が記載されている。ここでは、「筋トレ＋有酸素運動プログラム・クーポン」と記載され、配布物５０がクーポンであることに加え、推奨プログラムの内容が「筋トレ＋有酸素運動プログラム」であることも示されている。ここでの筋トレは、筋力トレーニングのことである。
【００３５】
図７に示す配布物５０の２段目には、新規会員２０と類似の既存会員について改善効果の実績があることを説明する文５０２が記載されている。新規会員２０のためだけに発行されたクーポンであるので、文５０２には「ガス太郎」との個人を特定する情報が含まれる。
また、期待される改善効果の内容として「ダイエット効果」が具体的に記されている。すなわち、配布物５０はガス太郎さん専用であり、ガス太郎さんが「筋トレ＋有酸素運動プログラム」を実行すれば、「ダイエット効果」が得られる可能性が高いことが具体的に示されている。
なお、図７では、「ガス太郎さんのタイプは、…得られています。」との表現により、単なる推奨ではなく、類型的に期待される効果であることを示唆している。
【００３６】
なお、配布物５０の３段目には、運動プログラムに含まれるレッスンの内容が具体的に記載されている。ここでは、推奨される運動プログラムが１時間の筋トレと３０分の有酸素運動で構成されることが示されている。
また、配布物５０の４段目には、クーポンを使用可能な店舗を示す情報５０４が記載されている。この例では、全ての店舗で使用が可能である。
また、配布物５０の５段目には、クーポンを使用可能な期限を示す情報５０５が記載されている。この例では７日間である。
【００３７】
図８は、配布物５０の他の例を示す図である。図８には、図７との対応部分に対応する符号を付して示している。
図８に示す配布物５０もクーポンであるが、推奨プログラムの内容が異なっている。すなわち、図８に示す配布物５０の１段目には、「スイミングプログラム・クーポン」と記載され、推奨される運動プログラムが「スイミングプログラム」であることが示されている。
なお、配布物５０は、ガス次郎さん専用であるので、文５０２には、「ガス次郎さん」用に発行されたクーポンであることが示されている。
【００３８】
また、図８に示す配布物５０の３段目には、推奨する運動プログラムの実施に伴う実績例が具体的に示されている。
この例では、「ガス次郎さんと同じ身体データを有する方が、１日１時間のスイミングを１ヶ月続けたところ、体重が５ｋｇ減少したとの実績が報告されています。」との記載５１１が配置されている。
この記載は、汎用型のクーポンとは異なり、期待される改善効果を具体的に示している。このため、汎用型のクーポンを受け取った場合よりも、ガス次郎さんがスイミングプログラムを実施する可能性を高めることができる。
【００３９】
＜他の実施の形態＞
以上、本発明の実施の形態について説明したが、本発明の技術的範囲は、前述の実施の形態１に記載の範囲に限定されない。前述した実施の形態に、種々の変更又は改良を加えたものも、本発明の技術的範囲に含まれることは、特許請求の範囲の記載から明らかである。
【００４０】
前述の実施の形態１では、配布物５０や配布データＤ２によって、特定のサービス事業者が提供する運動プログラムを推奨しているが、ウォーキングや腹筋のように日常生活で行える運動プログラムを推奨してもよい。
また、前述の実施の形態１においては、サービス事業者が運動サービスを提供する事業者やその関係者であったが、これら以外でもよい。例えば健康アドバイス等を提供する事業者でもよい。
【００４１】
前述の実施の形態１では、症例別データベース１４を用いているが、症例別に忌避すべき運動プログラムを記録したデータベースを用いてもよい。
前述の実施の形態１では、情報提供サーバ１１において、推奨する運動プログラムの実施を促す配布物５０又は配布データＤ２を出力するのに要する処理の全てを実行しているが、個々の機能は複数のサーバに分散されていてもよい。
【符号の説明】
【００４２】
１…ネットワークシステム、１０…情報提供システム、１１…情報提供サーバ、１２…会員データベース、１３…実績データベース、１４…症例別データベース、１５…印刷装置、２０…新規会員、３０…携帯端末、４０…インターネット、５０…配布物、１１１…身体データ受付部、１１２…目的受付部、１１３…推奨プログラム決定部、１１４…出力制御部、３００、３１０…受付画面
【図１】
2020091721.tif 000003
【図２】
2020091721.tif 000004
【図３】
2020091721.tif 000005
【図４】
2020091721.tif 000006
【図５】
2020091721.tif 000007
【図６】
2020091721.tif 000008
【図７】
2020091721.tif 000009
【図８】
2020091721.tif 000010